(57)【特許請求の範囲】
【請求項１】
アップリケ用布片の閉じた輪郭線の複数の要点を入力し、前記要点を線で結ぶことによりアップリケ用布片の閉じた輪郭データを作成する方法において、最後の要点を入力するとともに、制御装置にそれが最後の入力であることを知らせ、制御装置は、最後に入力した要点より最後から二番目に入力した要点に至る線分を消去し、最後から二番目に入力した要点と最初に入力した要点とを線で結ぶことにより、最後の入力をラフに行っても必ず閉じた輪郭データを作成することを特徴とするアップリケ用布片の輪郭データ作成方法。
【発明の詳細な説明】
【０００１】
【産業上の利用分野】
本発明は、アップリケ用布片の切断データ又は刺繍データの作成に必要な、アップリケ用布片の輪郭データの作成方法に関するものである。
【０００２】
【従来の技術】
カット機により生地からアップリケ用布片を切断するには、カット機にアップリケ用布片の切断データを入力する必要がある。また、刺繍ミシンにより布地にアップリケ用布片を刺繍縫い付けするには、刺繍ミシンにアップリケ用布片の刺繍データを入力する必要がある。これらの切断データ又は刺繍データはアップリケ用布片の輪郭データ等に基づいて作成され、従来、その輪郭データは次のような方法で作成されていた。
【０００３】
まず、図１６に示すように、アップリケ用布片の閉じた輪郭線５１が描かれた型紙５２をデジタイザ５３のボード面に貼り付け、この輪郭線５１の要点であるコーナー点Ｃ１，Ｃ２，Ｃ３，Ｃ４，Ｃ５（理論上、Ｃ１とＣ５とは同じ点である）を順にボタン・カーソル等のポインティング・デバイス５５で入力する。そして、マイクロコンピュータを用いたデータ作成装置により、前記コーナー点Ｃ１，Ｃ２，Ｃ３，Ｃ４，Ｃ５を順に線で結んで、閉じた輪郭データＤ５６を作成するのである。
【０００４】
【発明が解決しようとする課題】
しかし、上記の輪郭データ作成方法では、輪郭線５１を注視しながらポインティング・デバイス５５を細かく操作して、特に最初のコーナー点Ｃ１と最後のコーナー点Ｃ５とを一致するように慎重に入力し、輪郭データＤ５６が閉じるようにする必要があり、これは非常に神経を使う作業であった。また、相当に注意したとしても、図１６に示すように、両コーナー点Ｃ１，Ｃ５が離間してしまうことがあり、このとき作成される輪郭データＤ５６は前記離間によって閉じないことになる。従って、この輪郭データＤ５６に基づいて作成された切断データにより、図１７に示すように生地５７からアップリケ用布片５８を切断すると、前記離間の対応箇所で切り残し５９が生じるという問題があった。また、この輪郭データＤ５６に基づいて作成された刺繍データにより、布地にアップリケ用布片を刺繍縫い付けすると（図示略）、サテンステッチが歪んで見栄えが悪くなることもあった。
【０００５】
本発明の目的は、上記課題を解決し、多少ラフな作業をしても必ず閉じた輪郭データを作成することができ、もって熟練を不要にするとともに効率を高めることができ、ひいては、その輪郭データに基づく切断データによりアップリケ用布片を切り残しなく切断でき、或いは、その輪郭データに基づく刺繍データによりアップリケ用布片を見栄え良く刺繍縫い付けすることができるアップリケ用布片の輪郭データ作成方法を提供することにある。
【０００６】
【課題を解決するための手段】
上記目的を達成するために、本発明では、アップリケ用布片の閉じた輪郭線の複数の要点を入力し、前記要点を線で結ぶことによりアップリケ用布片の閉じた輪郭データを作成する方法において、最後の要点を入力するとともに、制御装置にそれが最後の入力であることを知らせ、制御装置は、最後に入力した要点より最後から二番目に入力した要点に至る線分を消去し、最後から二番目に入力した要点と最初に入力した要点とを線で結ぶことにより、最後の入力をラフに行っても必ず閉じた輪郭データを作成するという手段をとった。
【０００７】
ここで、輪郭線の複数の要点とは、例えば輪郭線が多角形の場合はそのコーナー点であり、円弧、楕円、自由曲線等の各種曲線を含む場合には、その曲線の端点や途中部位の１点又は数点が該当する。輪郭線の複数の要点を入力する手段としては、デジタイザ（小型デジタイザの指称であるタブレットも含む。）、タッチ・パネル、ライトペン、マウス、トラック・ボール等を例示できる。また、要点を線で結んで輪郭データを作成する手段としてはマイクロコンピュータを例示できる。
【０００８】
【作用】
本発明のアップリケ用布片の輪郭データ作成方法によれば、最後に入力した要点は結局省かれてしまうので、この要点の入力は必ずしも最初に入力した要点と一致するように行う必要はなく、ラフに行うことができる。そして、最後から二番目に入力した要点は最初に入力した要点と線で結ばれるので、必ず閉じた輪郭データが作成される。
【０００９】
【実施例】
以下、本発明を具体化した実施例について、図１〜図１５を参照して説明する。まず、この実施例に使用する輪郭データ、切断データ及び刺繍データの作成装置等について、図１を参照して説明すると、このデータ作成装置の中心は制御装置１であり、ＣＰＵ、ＲＯＭ、ＲＡＭ、接続用バス、入出力インターフェイス等からなるマイクロコンピュータが使用されている。この制御装置１には、入力装置としてデジタイザ２とキーボード３とが接続され、表示装置としてディスプレイ４が接続され、印刷装置としてＸ−Ｙプロッタ５が接続され、外部記憶装置としてフレキシブルディスク装置６とテープパンチャ７とが接続されている。
【００１０】
なお、前記データ作成装置の構成は一例に過ぎず、例えば外部記憶装置として、ハードディスク装置（リムーバブル式を含む。）、磁気テープ装置、磁気カード装置、光磁気ディスク装置、光ディスク装置、ＩＣカード装置等を使用することもできる。
【００１１】
１０はアップリケ用布片を切断するカット機で、生地をセットする盤面１１と、Ｘ−Ｙ方向に駆動されると共に必要に応じてＺ軸方向に往復駆動されるヒートカッタ１２と、操作キー１３と、入力装置としてのフレキシブルディスク装置１４とを備えている。このフレキシブルディスク装置１４には、前記フレキシブルディスク装置６で切断データの記録されたフレキシブルディスクＦＤ１が挿入される。
【００１２】
なお、ヒートカッタ以外にも、例えばカット刃、レーザ切断装置、液体ジェット切断装置等を使用することもできる。また、前記データ作成装置にフレキシブルディスク装置以外の前記外部記憶装置を使用する場合には、それに対応する外部記憶装置をカット機にも使用する。また、前記データ作成装置とカット機１０とを伝送ケーブル又は無線伝送装置で接続し、データ作成装置で作成された切断データをカット機１０に直接伝送することもできる。
【００１３】
２０はアップリケ用布片を布地に刺繍縫い付けする刺繍ミシンで、上糸が通された針を上下駆動する複数頭の刺繍ヘッド２１と、釜及び下糸ボビンが内蔵されたベッド２２と、布地２３を展張する刺繍枠２４と、該刺繍枠２４の駆動装置２５等とを備え、キャスタ２６付きで移動可能な台車２７にはテーブル２８上に配置可能なミシン制御装置３０が支持されている。このミシン制御装置３０は、制御盤３１、キーボード３２、ディスプレイ３３、制御盤３１に内蔵された入力装置としてのフレキシブルディスク装置３４等を備えている。このフレキシブルディスク装置３４には、前記フレキシブルディスク装置６で刺繍データの記録されたフレキシブルディスクＦＤ２が挿入される。
【００１４】
なお、前記データ作成装置にフレキシブルディスク装置以外の前記外部記憶装置を使用する場合には、それに対応する外部記憶装置をミシン制御装置３０にも使用する。また、前記データ作成装置とミシン制御装置３０とを伝送ケーブル又は無線伝送装置で接続し、データ作成装置で作成された刺繍データをミシン制御装置３０に直接伝送することもできる。
【００１５】
この実施例における輪郭データ、切断データ及び刺繍データの作成方法は、図２に示すような手順で進行する。図２における矢印付き点線はデータの流れを示している。以下、この手順を詳述する。
【００１６】
（１）アップリケ用布片の輪郭データの作成
図３（ａ）に示すように、アップリケ用布片の閉じた輪郭線１７（例えば四角形）が描かれた型紙８を、前記デジタイザ２のボード面に貼り付け、図４に示すような手順で輪郭データＤ１を作成する。
【００１７】
(イ) 輪郭線１７の要点であるコーナー点Ｃ１〜Ｃ５のうち最後のコーナー点Ｃ５を除くコーナー点Ｃ１，Ｃ２，Ｃ３，Ｃ４を、順にボタン・カーソル，スタイラス・ペン等のポインティング・デバイス４７で入力（本例ではピックアップともいう）する。このピックアップは、ある程度正確に行う。
【００１８】
(ロ) 制御装置１は、前記コーナー点Ｃ１，Ｃ２，Ｃ３，Ｃ４を順に線で結び、輪郭データＤ１の主要部を作成する。図３（ｂ）に示すように、ディスプレイ４には、その輪郭データＤ１が表示される。
【００１９】
(ハ) 続いて、最後のコーナー点Ｃ５をポインティング・デバイス５５でピックアップするとともに、制御装置１にそれが最後のピックアップであることを知らせる。このピックアップは必ずしも最初にピックアップしたコーナー点Ｃ１と一致するように行う必要はなく、ラフに行うことができ、例えば図３（ａ）に示すようにコーナー点Ｃ１からかなり離れていても構わない。
【００２０】
(ニ) 制御装置１は、最後にピックアップしたコーナー点Ｃ５を省き、最後から二番目にピックアップしたコーナー点Ｃ４と最初にピックアップしたコーナー点Ｃ１とを線で結んで、必ず閉じた輪郭データＤ１を作成する。
【００２１】
（２）切断データの自動作成
制御装置１は、前記輪郭データＤ１から、図５に示すような四角形の切断データＤ２を自動的に作成し、この切断データＤ２はフレキシブルディスク装置６によりフレキシブルディスクＦＤ１に記録される。なお、前記の通り輪郭データＤ１は必ず閉じているため、切断データＤ２も必ず閉じたものとなる。
【００２２】
（３）刺繍データの自動作成
(i)  次に、制御装置１は、前記輪郭データＤ１から、図６に示すようなアップリケの配置に必要な四角形の位置決め用仮縫いデータＤ３を自動的に作成する。この位置決め用仮縫いデータＤ３はフレキシブルディスク装置６によりフレキシブルディスクＦＤ２に記録される。
【００２３】
(ii)  次に、制御装置１は、前記輪郭データＤ１から、図７に示すような輪郭データＤ１の内側に沿った内周データＤ４を自動作成する。
【００２４】
(iii)  次に、制御装置１は、前記輪郭データＤ１と内周データＤ４とから、図８に示すようなアップリケ用布片の止め縫いに必要な四角形の止め縫いデータＤ５を自動作成する。この実施例では、予めキーボート３から制御装置１に入力したＥステッチの縫い込み方向及び縫い込みから次の縫い込みまでの縫目数に基づいて、Ｅステッチデータが作成される。但し、止め縫いデータはＥステッチに限定されず、例えば図９に示すような別種類のステッチによる止め縫いデータＤ５を作成することも可能である。これらの止め縫いデータＤ５はフレキシブルディスク装置６によりフレキシブルディスクＦＤ２に記録される。
【００２５】
(iv)  次に、制御装置１は、図１０に示すような輪郭データＤ１の外側に沿った外周データＤ６を自動作成する。
【００２６】
(v)  次に、制御装置１は、前記内周データＤ４と外周データＤ６とから、図１１に示すようなサテンステッチデータＤ７を作成する。このサテンステッチデータＤ７は、図１５に示すようにアップリケ用布片１６を布地２３に縫い付けるサテンステッチ４０のためのデータである。このサテンステッチデータＤ７はフレキシブルディスク装置６によりフレキシブルディスクＦＤ２に記録される。
【００２７】
以上により、切断データＤ２が記録されたフレキシブルディスクＦＤ１と、位置決め用仮縫いデータＤ３、止め縫いデータＤ５及びサテンステッチデータＤ７の三つの刺繍データが記録されたフレキシブルディスクＦＤ２とが作成される。このフレキシブルディスクＦＤ１，ＦＤ２のデータと前記装置とを使用し、次のようにしてアップリケが形成される。
【００２８】
（Ａ）アップリケ用布片の切断
図１に示すように、カット機１０の盤面１１にアップリケ用布片の生地１５をセットし、フレキシブルディスク装置１４にフレキシブルディスクＦＤ１を挿入して、カット機１０を作動させると、切断データＤ２に基づいてヒートカッタ１２が生地１５に接触しＸ−Ｙ方向に駆動されるため、切断データＤ２に基づいた四角形のアップリケ用布片１６が熱溶断される。前記輪郭データＤ１に基づく切断データＤ２は必ず閉じたものとなっているので、図１２に示すように、アップリケ用布片１６を切り残しなく切断できる。
【００２９】
（Ｂ）アップリケ用布片の刺繍縫い付け
(i)  図１に示すように、刺繍ミシン２０の刺繍枠２４に布地２３を展張し、フレキシブルディスク装置３４にフレキシブルディスクＦＤ２を挿入して、刺繍ミシン２０を作動させると、まず、位置決め用仮縫いデータＤ３に基づいて刺繍ヘッド２１の針、ベッド２２の釜、刺繍枠２４等が駆動されるため、図１３に示すように、布地２３に四角形の仮縫いステッチ４５が形成される。
【００３０】
(ii)  この仮縫いステッチ４５に沿って、布地２３にアップリケ用布片１６を粘着剤等で貼り付ける。
【００３１】
(iii)  再び刺繍ミシン２０を作動させると、止め縫いデータＤ５に基づいて刺繍ヘッド２１の針、ベッド２２の釜、刺繍枠２４等が駆動されるため、図１４に示すように、止め縫いステッチ４６が形成され、これによりアップリケ用布片１６が布地２３に止め縫いされる。
【００３２】
(iv)  続いて刺繍ミシン２０を作動させると、サテンステッチデータＤ７に基づいて刺繍ヘッド２１の針、ベッド２２の釜、刺繍枠２４等が駆動されるため、図１５に示すように、サテンステッチ４０が形成され、これによりアップリケ用布片１６が布地２３に刺繍縫い付けされる。前記輪郭データＤ１に基づくサテンステッチデータＤ７には歪みがないので、アップリケ用布片１６を見栄え良く刺繍縫い付けすることができる。
【００３３】
なお、本発明は前記実施例の構成に限定されるものではなく、本発明の趣旨から逸脱しない範囲で適宜変更して具体化することもできる。例えば、前記実施例のアップリケ用布片の輪郭線は四角形であったが、他の多角形でもよいし、円弧、楕円、自由曲線等の各種曲線を含むものでも良い。
【００３４】
【発明の効果】
本発明のアップリケ用布片の輪郭データ作成方法は、上記の通り構成されているので、多少ラフな作業をしても必ず閉じた輪郭データを作成することができ、もって熟練を不要にするとともに効率を高めることができ、ひいては、その輪郭データに基づく切断データによりアップリケ用布片を切り残しなく切断でき、或いは、その輪郭データに基づく刺繍データによりアップリケ用布片を見栄え良く刺繍縫い付けすることができるという優れた効果を奏する。
【図面の簡単な説明】
【図１】本発明の実施例に使用する装置の全体構成図である。
【図２】本実施例の輪郭データ、切断データ及び刺繍データの作成手順を示すフローチャート図である。
【図３】（ａ）は輪郭データの作成方法を示す説明図、（ｂ）はそのときのディスプレイ表示を示す正面図である。
【図４】輪郭データの作成方法を示すフローチャート図である。
【図５】作成された切断データを示す説明図である。
【図６】作成された位置決め用仮縫いデータの説明図である。
【図７】作成された内周データを示す説明図である。
【図８】作成された止め縫いデータを示す説明図である。
【図９】止め縫いデータの別例を示す説明図である。
【図１０】作成された外周データの説明図である。
【図１１】作成されたサテンステッチデータの説明図である。
【図１２】図５の切断データにより切断したアップリケ用布片の平面図である。
【図１３】仮縫いステッチを形成した布地の平面図である。
【図１４】止め縫いステッチによりアップリケ用布片を止め縫いした布地の平面図である。
【図１５】サテンステッチによりアップリケ用布片を刺繍縫い付けした布地（アップリケ）の平面図である。
【図１６】従来の輪郭データの作成方法を示す説明図である。
【図１７】図１５の輪郭データに基づく切断データにより切断したアップリケ用布片の平面図である。
【符号の説明】
１６  アップリケ用布片              １７  輪郭線
２３  布地                          Ｃ１〜Ｃ５  コーナー点
Ｄ１  輪郭データ
【図１】
0003878223.tif 000002
【図２】
0003878223.tif 000003
【図３】
0003878223.tif 000004
【図４】
0003878223.tif 000005
【図５】
0003878223.tif 000006
【図６】
0003878223.tif 000007
【図７】
0003878223.tif 000008
【図８】
0003878223.tif 000009
【図９】
0003878223.tif 000010
【図１０】
0003878223.tif 000011
【図１１】
0003878223.tif 000012
【図１２】
0003878223.tif 000013
【図１３】
0003878223.tif 000014
【図１４】
0003878223.tif 000015
【図１５】
0003878223.tif 000016
【図１６】
0003878223.tif 000017
【図１７】
0003878223.tif 000018